(57)【要約】【課題】ガイドピン（２２）が、第一および第二のコネクタ（１２、１４）を案内すると同時に第一および第二のコネクタ（１２、１４）を係合させる二重機能を果たす電気コネクタ（１０）を提供する。【解決手段】接合面（３２）にガイド孔（５０）を有するハウジング（２４）を有している第一のコネクタ（１２）と、第一および第二のコネクタ（１２、１４）を接合状態に案内するために第一のコネクタ（１２）のガイド孔（５０）内に挿入されるガイドピン（２２）を有し、ガイドピン（２２）が係合部を有する第二のコネクタ（１４）と、第一および第二のコネクタ（１２、１４）が接合されて第一および第二のコネクタ（１２、１４）を接合状態で保持する時に、ガイドピン（２２）の係合部に係合する第一のコネクタ（１２）の係合部材（２０）で構成される。【選択図】　　図４
0003100036.tif 000002
【実用新案登録請求の範囲】
【請求項１】
複数の雌型端子（５２）を搭載し、接合面（３２）にガイド孔（５０）を有するハウジング（２４）を有している第一のコネクタ（１２）と、該第一のコネクタ（１２）と第二のコネクタ（１４）が接合された時に、前記第一のコネクタ（１２）の前記雌型端子（５２）に接合される複数の端子ピン（５４）を搭載するハウジング（５５）と、前記第一および第二のコネクタ（１２、１４）を接合状態に案内するために前記第一のコネクタ（１２）の前記ガイド孔（５０）内に挿入されるガイドピン（２２）を有し、該ガイドピン（２２）が係合部を有する第二のコネクタ（１４）と、
前記第一および第二のコネクタ（１２、１４）が接合されて該第一および第二のコネクタ（１２、１４）を接合状態で保持する時に、前記ガイドピン（２２）の前記係合部に係合する前記第一のコネクタ（１２）の係合部材（２０）で構成され、
前記ガイドピン（２２）が前記第一および第二のコネクタ（１２、１４）を案内すると同時に該第一および第二のコネクタ（１２、１４）を係合させる二重機能を果たし、
前記ガイドピン（２２）の前記係合部は、該係合部の側面の係合ノッチ（４６）で構成され、
前記係合部材（２０）は、前記係合ノッチ（４６）に係合可能な係合フック（２０ｃ）を有すると共に、前記第一のコネクタ（１２）の前記ハウジング（２４）に対して回動可能な別部材でなる係合アームで構成され、該係合アームは、該係合アームの両端部（２０ｂ、２０ｄ）の中間で前記ハウジング（２４）に枢支され、該係合アームの一端部（２０ｂ）は前記ガイドピン（２２）の前記係合部に係合させるために前記ハウジング（２４）の内側の側部に設けられたキャビティ（４２）内に収納配置され、前記係合アームの反対側端部（２０ｄ）はオペレータが手動で操作可能なように前記ハウジング（２４）の外側に配置され、弾性金属材料で形成された前記係合アームの前記反対側端部（２０ｄ）は前記ハウジング（２４）側に湾曲されて該ハウジング（２４）に接するバネ部（２０ｅ）とされ、該バネ部（２０ｅ）が前記係合フック（２０ｃ）を前記キャビティ（４２）の壁部に設けられた開口を介し前記係合ノッチ（４６）に係合状態に付勢することを特徴とするガイドピン係合手段を有する電気コネクタ装置（１０）。
【請求項２】
前記第二のコネクタ（１４）の一対の前記ガイドピン（２２）とともに、第一のコネクタ（１２）の前記接合面（３２）の両端部に一対の前記ガイド孔（５０）を有することを特徴とする請求項１に記載のガイドピン係合手段を有する電気コネクタ装置（１０）。
【請求項３】
前記一対のガイドピン（２２）の両方が前記係合部を有し、前記第一のコネクタ（１２）に一対の前記係合部材（２０）を有することを特徴とする請求項２に記載のガイドピン係合手段を有する電気コネクタ装置（１０）。
【請求項４】
複数の雌型端子（５２）を搭載し、接合面（３２）の両端部に一対のガイド孔（５０）を有するハウジング（２４）を有している第一のコネクタ（１２）と、
該第一のコネクタ（１２）と第二のコネクタ（１４）が接合された時に、前記第一のコネクタ（１２）の前記雌型端子（５２）に接合される複数の端子ピン（５４）を搭載するハウジング（５５）と、前記第一および第二のコネクタ（１２、１４）を接合状態に案内するために前記第一のコネクタ（１２）の前記一対のガイド孔（５０）内に挿入される一対のガイドピン（２２）を有し、該一対のガイドピン（２２）がその側面に係合ノッチ（４６）を有する第二のコネクタ（１４）と、
前記第一および第二のコネクタ（１２、１４）が接合されて該第一および第二のコネクタ（１２、１４）を接合状態で保持する時に、前記ガイドピン（２２）の前記係合ノッチ（４６）に係合可能な係合フック（２０ｃ）を有する、前記第一のコネクタ（１２）の一対の係合部材（２０）で構成され、
前記ガイドピン（２２）が前記第一および第二のコネクタ（１２、１４）を案内すると同時に該第一および第二のコネクタ（１２、１４）を係合させる二重機能を果たし、
前記係合部材（２０）は、前記第一のコネクタ（１２）の前記ハウジング（２４）に対して回動可能な別部材でなる係合アームで構成され、該係合アームは、該係合アームの両端部（２０ｂ、２０ｄ）の中間で前記ハウジング（２４）に枢支され、該係合アームの一端部（２０ｂ）は前記ガイドピン（２２）の前記係合部に係合させるために前記ハウジング（２４）の内側の側部に設けられたキャビティ（４２）内に収納配置され、前記係合アームの反対側端部（２０ｄ）はオペレータが手動で操作可能なように前記ハウジング（２４）の外側に配置され、弾性金属材料で形成された前記係合アームの前記反対側端部（２０ｄ）は前記ハウジング（２４）側に湾曲されて該ハウジング（２４）に接するバネ部（２０ｅ）とされ、該バネ部（２０ｅ）が前記係合フック（２０ｃ）を前記キャビティ（４２）の壁部に設けられた開口を介し前記係合ノッチ（４６）に係合状態に付勢することを特徴とするガイドピン係合手段を有する電気コネクタ装置（１０）。
【考案の詳細な説明】
【０００１】
【考案の属する技術分野】
この考案は、電気コネクタの技術に関するもので、特に、一対のコネクタを接合状態に案内すると同時に一対のコネクタを接合状態で係合させる二重機能を果たすガイドピンを有している電気コネクタ装置に関するものである。
【０００２】
【従来の技術】
従来の電気コネクタ装置は一対の電気コネクタで構成され、一対の電気コネクタが接合された時に各導電性端子が相互接合される。幾つかの電気コネクタ装置において、電気コネクタを接合状態で保持するためおよび電気コネクタの係合解除を防止するために、無関係な係合手段が設けられている。明らかに、このような係合手段は、スペースを必要とするか、または電気コネクタの領域を占有するものである。ある場合に、電気コネクタの非常により小さな端子においてこのスペースが重要なものとなる可能性がある。一方の電気コネクタが回路基板またはパネル等に実装される場合に、係合手段に必要とされるスペースが回路基板またはパネル上の貴重な「実装面積」を占有する可能性がある。
【０００３】
他方の電気コネクタは、一対の電気コネクタを接合状態に案内し、それにより確実に端子が適当に整列して相互接合されるために幾つかの形状のガイド手段を必要とする。例えば、電気コネクタ装置の一つの電気コネクタは、相手方電気コネクタから突出する相補型ガイドピンを収容する一つ以上のガイド孔を有する構成とすることができる。ここで再び、このようなガイド手段はスペースを必要とするか、または電気コネクタのかなりの領域を占有することとなる。
【０００４】
【考案が解決しようとする課題】
本考案は、電気コネクタ装置の一方の電気コネクタが、一対の電気コネクタを接合状態に案内すると同時に一対の電気コネクタの接合状態での係合を容易とする二重機能を果たす少なくとも一本のガイドピンを有している独特な装置により、必要以上のスペースをとる係合手段およびガイド手段の問題を解決するものである。
従って、本考案の目的は、独特なガイドおよび係合手段を有する上述した特徴の新規であり改良された電気コネクタ装置を提供することにある。
【０００５】
【課題を解決するための手段】
本考案の好適実施例において、電気コネクタは、複数の雌型端子を搭載するハウジングを有する第一のコネクタを有している。ハウジングは、その接合面にガイド孔を有している。第二のハウジングは、第一および第二のコネクタが接合された時に第一のコネクタの雌型端子に接合される複数の端子ピンを搭載するハウジングを有している。第二のコネクタのガイドピンは、第一のコネクタのガイド孔内に挿入可能であって、第一および第二のコネクタを接合状態に案内する。ガイドピンは係合部を有している。第一のコネクタの係合部材は、第一および第二のコネクタが接合されて第一および第二のコネクタを接合状態で保持する時に、ガイドピンの係合部と係合可能となっている。従って、ガイドピンは、第一および第二のコネクタを案内すると同時に第一および第二のコネクタを係合させる二重機能を果たす。
【０００６】
上述したように、一対のガイド孔は、第二のコネクタの一対のガイドピンに沿って、第一のコネクタの接合面の両端部に設けられている。両方のガイドピンは係合部を有しており、第二のコネクタは一対の係合部材を有している。ガイドピンの係合部は、ガイドピンの側面の係合ノッチにより設けられている。係合部材は、係合ノッチに係合可能な係合フックを有している。
【０００７】
各係合部材は、第一のコネクタのハウジングに対して回動可能な係合アームで構成されている。好適実施例において、係合アームは、第一のコネクタのハウジングから独立した別体の部材である。係合アームは、係合アームの両端部の中間でハウジングに枢支されている。係合アームの一端部は、ガイドピンのそれぞれ一つの係合ノッチに係合するためにハウジングの内側に配置されている。係合アームの反対側端部は、オペレータが手動で操作可能なようにハウジングの外側に配置されている。係合アームは弾性金属材料で形成され、係合アームの反対側端部は、係合アームの係合フックをガイドピンの係合ノッチとの係合状態に付勢させるバネ部を有している。
本考案の他の目的、特徴、利点は、添付の図面を参照して説明する以下の詳細な説明より明白となるであろう。
【０００８】
【考案の実施の形態】
図面についてより詳細に説明すると、まず図１には、参照符号１２で示される第一のコネクタまたはケーブルコネクタと、参照符号１４で示される第二のコネクタまたはヘッダーコネクタで構成される参照符号１０で示される本考案による電気コネクタ装置が示されている。ケーブルコネクタ１２は、高速電気ケーブル１６の複数対の電線を終端処理するために設けられている。ヘッダーコネクタ１４は、バックプレーンまたはパネル等にヘッダーコネクタ１４を搭載する一対の外ネジ付き取付ポスト１８を有している。後述でより詳細に明らかとなるように、ケーブルコネクタ１２は、その両側にヘッダーコネクタ１４の両端の一対のガイドピン２２とともに連関されている一対の係合部材２０を搭載している。
【０００９】
図１とともに図２および図３について説明すると、ケーブルコネクタ１２は、複数のボルト２８およびナット３０によりともに保持される一対の同一のハウジングハーフ２６により形成されている、参照符号２４で示されるハウジングを有している。ケーブルコネクタ１２は、接合面３２を規定している。ハウジングハーフ２６は結合して、前側開口部３４ａと後側開口部３４ｂを有する内側キャビィティ３４を規定する。ハウジングハーフ２６は、ダイカストで製造した金属材料または成形プラスチック材料で形成される構成とすることができる。（図示しない）エラストマー材料のブーツが、ケーブルコネクタ１２を覆う構成とすることができる。ブーツは、係合部材２０への工作孔を有する構成とすることができる。
【００１０】
さらに、図２および３について説明すると、高速電気ケーブル１６は、複数のツイストペアの電線３６を有している。電線３６は、複数の薄い平坦なウェハ３８にオーバモールドされる導電性端子に終端処理される。ウェハ３８は、プラスチック等の誘電性材料で成形されている。ウェハ３８は、平行な列で近接して並べられ、図３に示したように高速電気ケーブル１６が内側キャビィティ３４の後側開口部３４ｂから突出するようにハウジングハーフ２６の一つの内側キャビィティ３４内に配置される。例えば、高速電気ケーブル／ウェハのサブアセンブリは下側の一方のハウジングハーフ２６（例えば、図２に示したように右側のハウジングハーフ２６）に配置することができ、次に、高速電気ケーブル／ウェハのサブアセンブリを完全に包囲するために他方のハウジングハーフ２６が一方のハウジングハーフ２６の上側に配置され、ボルト２８およびナット３０がハウジング２４を高速電気ケーブル／ウェハのサブアセンブリに対して閉鎖するために使用される。後で説明する図４において明らかなように、各プラスチック製のウェハ３８は、ハウジング２４の内側キャビィティ３４の前側開口部３４ａで露出している複数の雌型端子に対してオーバモールドされる。
【００１１】
図３に最も良く示したように、ケーブルコネクタ１２は、図１で簡単に説明した一対の係合部材２０を搭載している。各係合部材２０は、弾性金属板材料で打ち抜き形成された係合アームにより形成されている。各係合アームは、係合アームの両端部の中間に形成されてハウジングハーフ２６の円形状枢支キャビィティ４０内に配置される円形状枢支部２０ａにより、ハウジングハーフ２６に枢支される。各係合アームの一端部２０ｂは、ハウジングハーフ２６のキャビィティ４２内に配置され、内向きの係合フック２０ｃを有している。各係合アームの反対側端部２０ｄは、オペレータが手動で係合させるためにハウジング２４の外側に露出している。これは図１において明瞭に分かることである。各係合アームの外側または反対側端部２０ｄは、参照符号４４でハウジングハーフ２６と係合可能であるバネ部２０ｅを形成するために内向きに折り曲げられている。従って、オペレータが、矢印「Ａ」の方向に指の把持動作により係合アームの外側端部２０ｄを内向きに移動させた時に、係合アームの内向きの係合フック２０ｃが、係合アームの円形状枢支部２０ａに対して矢印「Ｂ」の方向に外向きに移動または回動される。係合アームが解放されると、係合アームのバネ部２０ｅは係合アームを図３に示した位置に後方に付勢し、係合フック２０ｃがその係合位置に配置される。
【００１２】
図１に示したように、ヘッダーコネクタ１４のガイドピン２２は、その外側表面に係合ノッチ４６の形状の係合部を有している。図４に示したように、ケーブルコネクタ１２のハウジング２４は、ヘッダーコネクタ１４のガイドピン２２を収容する一対のガイド孔５０を有している。ガイド孔５０は、係合部材２０の係合フック２０ｃがガイドピン２２の外側表面の係合ノッチ４６内に係合できるようにハウジング２４のキャビィティ４２と連通している。ガイドピン２２の先端２２ａは、係合アームの係合フック２０ｃに係合する傾斜面を設けるために面取りされている。これにより、係合フック２０ｃがガイドピン２２の係合ノッチ４６と整列されるまで、係合フック２０ｃは矢印「Ｂ」（図３）の方向に外向きに付勢される。係合フック２０ｃが係合ノッチ４６と整列すると、係合アームのバネ部２０ｅは係合フック２０ｃを係合ノッチ４６内に「スナップ係合」させ、ケーブルコネクタ１２およびヘッダーコネクタ１４が接合状態で保持される。ケーブルコネクタ１２およびヘッダーコネクタ１４を接合解除したい場合には、係合アームの外側端部２２ｄを矢印「Ａ」（図３）の方向に内向きに移動させて、係合フック２０ｃを係合ノッチ４６から後方に移動させる。そこで、ケーブルコネクタ１２およびヘッダーコネクタ１４を容易に接合解除することができる。
【００１３】
最後に、図４には、各プラスチック製のウェハ３８が複数の導電性の雌型端子５２に対してオーバモールドされているのが示されている。雌型端子５２は、ヘッダーコネクタ１４の複数の端子ピン５４を収容する。端子ピン５４は、ヘッダーコネクタ１４のハウジング５５に取り付けられ、終端部５４ａを有している。終端部５４ａは、プリント回路基板上の複数の電線や他の端子装置や導体または多種多様の他の機器に終端処理することができる。なお、本考案の概念、特に二重機能のガイドピン使用することは、明細書中に開示した特定のケーブルコネクタ１２またはヘッダーコネクタ１４に限定されるものではない。
【００１４】
【考案の効果】
上記のように、本考案によれば、一対の電気コネクタを接合状態に案内すると同時に一対の電気コネクタの接合状態での係合を容易とする二重機能を果たす少なくとも一本のガイドピンを設けることにより、従来の係合手段およびガイド手段を設けるために必要とされる必要以上のスペースが不要となり、回路基板またはパネル上の貴重な「実装面積」を有効に利用することが可能となる。特に、より小さな端子を有する電気コネクタに有効なものである。
【図面の簡単な説明】
【図１】本考案による電気コネクタ装置の一対のコネクタの斜視図である。
【図２】本考案による一対のコネクタの一方のコネクタの分解斜視図である。
【図３】ハウジングの上側ハーフが取り外された、組み立て状態の図２のコネクタの図である。
【図４】第二のコネクタの図２および図３の電気コネクタとの接合方法と、係合方法を示す図３のコネクタと同様の図である。
【符号の説明】
１０　　電気コネクタ装置
１２　　第一のコネクタ
１４　　第二のコネクタ
２０　　係合部材
２２　　ガイドピン
２４　　ハウジング
３２　　接合面
４６　　係合ノッチ
５０　　ガイド孔
５２　　雌型端子
５４　　端子ピン
５５　　ハウジング
【図１】
0003100036.tif 000003
【図２】
0003100036.tif 000004
【図３】
0003100036.tif 000005
【図４】
0003100036.tif 000006